(57)【要約】【課題】複数の表示部の何れを用いるかに応じて、違和感を感じることが少ない画像を観察し得る撮像装置等を提供する。【解決手段】撮像素子９と、ＡＥ制御部１３と、撮像素子９に撮影を行わせる撮像制御部１０と、覗いて画像を観察するためのＥＶＦ１８と、ＥＶＦ１８と択一的に画像を表示する電子表示部１９と、を備え、ＡＥ制御部１３は、露出制御に際して、電子表示部１９に画像を表示するときは記録用の画像データを撮影するための露出条件と同一の第１の露出条件を設定し、ＥＶＦ１８に画像を表示するときは第１の露出条件とは異なる第２の露出条件を設定する撮像装置。【選択図】図１
2015154414.tif 000002
【特許請求の範囲】
【請求項１】
撮像素子と、
露出条件を設定して露出制御を行うＡＥ制御部と、
上記ＡＥ制御部の露出制御に従って上記撮像素子に撮影を行わせ画像データを生成させる撮像制御部と、
覗くことなく離れた位置から画像を観察するための電子表示部と、
覗いて画像を観察するための電子ビューファインダと、
を備え、
上記電子表示部と上記電子ビューファインダとは択一的に上記画像データに係る画像を表示するように構成され、
上記ＡＥ制御部は、露出制御に際して、上記電子表示部に画像を表示するときは記録用の画像データを撮影するための露出条件と同一の第１の露出条件を設定し、上記電子ビューファインダに画像を表示するときは上記第１の露出条件とは異なる第２の露出条件を設定することを特徴とする撮像装置。
【請求項２】
上記第２の露出条件は、上記第１の露出条件よりも光学ファインダの表示に近い表示態様の画像が得られる露出条件であることを特徴とする請求項１に記載の撮像装置。
【請求項３】
上記ＡＥ制御部は、プログラム線図から導出される露出条件に基づいて露出を制御するものであり、上記電子ビューファインダに画像を表示するときは、シャッタ速度が画像の表示フレームレートの逆数以上の高速になるようなプログラム線図に基づいて露出を制御することを特徴とする請求項２に記載の撮像装置。
【請求項４】
上記ＡＥ制御部は、画像の領域に応じた重み付けを行う重付部を有し、該重付部により設定された重みと該重みが付された領域の画像の明るさとに基づいて露出を制御するものであって、上記第１の露出条件として画像の中央部を含む第１の領域の重みをそれ以外の領域より大きくし、上記第２の露出条件として画像の中央部を含む上記第１の領域よりも広い第２の領域の重みをそれ以外の領域より大きくするかまたは画像の全領域の重みを均一にすることを特徴とする請求項２に記載の撮像装置。
【請求項５】
撮像素子と、露出条件を設定して露出制御を行うＡＥ制御部と、上記ＡＥ制御部の露出制御に従って上記撮像素子に撮影を行わせ画像データを生成させる撮像制御部と、覗くことなく離れた位置から画像を観察するための電子表示部と、覗いて画像を観察するための電子ビューファインダと、を備え、上記電子表示部と上記電子ビューファインダとは択一的に上記画像データに係る画像を表示するように構成された撮像装置における撮像方法であって、
上記ＡＥ制御部は、露出制御に際して、上記電子表示部に画像を表示するときは記録用の画像データを撮影するための露出条件と同一の第１の露出条件を設定し、上記電子ビューファインダに画像を表示するときは上記第１の露出条件とは異なる第２の露出条件を設定することを特徴とする撮像方法。
【発明の詳細な説明】
【技術分野】
【０００１】
本発明は、画像を観察するための表示部を複数備える撮像装置、および撮像装置における撮像方法に関する。
【背景技術】
【０００２】
デジタルカメラやデジタルビデオカメラ等の撮像装置には、画像を観察するための表示部を複数備えたものがあり、例えば、覗くことなく離れた位置から画像を観察するための液晶表示装置などの電子表示部と、接眼レンズ等を介して画像を覗いて観察するための電子ビューファインダと、を備えていることがある。
【０００３】
このような撮像装置として、例えば特開２００４−１７３２６３号公報には、記録しようとする画像または記録された画像を観察するための表示部であって、画像を覗き見るための電子ビューファインダと、画像を外部から見ることができる液晶モニタと、を備えたデジタルカメラが記載されている。このデジタルカメラは、ＵＳＢ等の接続部を介して外部機器を接続可能となっていて、外部機器の接続が検出されたときには転送モードへ移行して電子ビューファインダから液晶モニタへ表示を切り替えることにより、外部機器が接続されたときの使い勝手を良くするようにしたものとなっている。
【０００４】
ところで、撮像装置のＡＥ制御における測光には各種の測光方式があり、撮影画角内の領域に応じて重み付けを異ならせて測光を行っている。このとき、例えば自動露出制御モードにおいては、一般的に、画面中央の重み付けを重くするいわゆる中央重点測光を行うか、もしくは主要被写体と判断した領域の重み付けを重くする測光を行っている。従って、撮影方向が変化する、主要被写体の位置が変化する、ズーム等によって撮影範囲が変化する、などが生じると、測光値が変化し、ＡＥ制御によって撮影される画像の明るさも変化することになる。
【先行技術文献】
【特許文献】
【０００５】
【特許文献１】特開２００４−１７３２６３号公報
【発明の概要】
【発明が解決しようとする課題】
【０００６】
これに対して人間は、視覚のダイナミックレンジが広く、視野もデジタルカメラの標準的な画角よりも広いために、視野内の特定の領域や主要被写体に対して明るさ調整の重み付けが重くされるということはなく、視線方向の変化や主要被写体の位置の変化などが生じても、観察される明るさはおおよそ変化しない。
【０００７】
表示部として撮像装置の例えば背面に配設された電子表示部を用いる場合には、観察者は、電子表示部を観察するのは視野の一部であってその他の視野部分において周囲を観察しているために、そして電子表示部の場合には観察している画像が撮像しようとするあるいは撮像された画像であるという感覚（つまり、プリント写真を観察しているのに近い感覚）があるために、撮影方向や主要被写体位置の変化により画像の明るさが変化したとしても、比較的違和感を感じることが少ない。
【０００８】
これに対して、表示部として電子ビューファインダを用いる場合には、視野の有意部分のほとんどが（つまり、画像の周囲の暗黒部分を除くと）電子ビューファインダに表示されている画像に占められるために、撮影方向や主要被写体位置の変化により画像の明るさが変化すると、観察者は違和感を感じることになる。
【０００９】
さらに、被写体が暗いと撮像のフレームレートが表示のフレームレートよりも遅くなることがあるが、この場合には観察される画像がコマ送りのようなぎこちない動きとなることがある。こうした場合においても、電子表示部での観察より電子ビューファインダでの観察の方が違和感をより大きく感じる傾向にある。
【００１０】
本発明は上記事情に鑑みてなされたものであり、複数の表示部の内の何れを用いるかに応じて、違和感を感じることが少ない画像を観察することができる撮像装置、撮像方法を提供することを目的としている。
【課題を解決するための手段】
【００１１】
本発明のある態様による撮像装置は、撮像素子と、露出条件を設定して露出制御を行うＡＥ制御部と、上記ＡＥ制御部の露出制御に従って上記撮像素子に撮影を行わせ画像データを生成させる撮像制御部と、覗くことなく離れた位置から画像を観察するための電子表示部と、覗いて画像を観察するための電子ビューファインダと、を備え、上記電子表示部と上記電子ビューファインダとは択一的に上記画像データに係る画像を表示するように構成され、上記ＡＥ制御部は、露出制御に際して、上記電子表示部に画像を表示するときは記録用の画像データを撮影するための露出条件と同一の第１の露出条件を設定し、上記電子ビューファインダに画像を表示するときは上記第１の露出条件とは異なる第２の露出条件を設定する。
【００１２】
本発明のある態様による撮像方法は、撮像素子と、露出条件を設定して露出制御を行うＡＥ制御部と、上記ＡＥ制御部の露出制御に従って上記撮像素子に撮影を行わせ画像データを生成させる撮像制御部と、覗くことなく離れた位置から画像を観察するための電子表示部と、覗いて画像を観察するための電子ビューファインダと、を備え、上記電子表示部と上記電子ビューファインダとは択一的に上記画像データに係る画像を表示するように構成された撮像装置における撮像方法であって、上記ＡＥ制御部は、露出制御に際して、上記電子表示部に画像を表示するときは記録用の画像データを撮影するための露出条件と同一の第１の露出条件を設定し、上記電子ビューファインダに画像を表示するときは上記第１の露出条件とは異なる第２の露出条件を設定する。
【発明の効果】
【００１３】
本発明の撮像装置、撮像方法によれば、複数の表示部の内の何れを用いるかに応じて、違和感を感じることが少ない画像を観察することが可能となる。
【図面の簡単な説明】
【００１４】
【図１】本発明の実施形態１における撮像装置の構成を示すブロック図。
【図２】上記実施形態１において、電子表示部に表示を行う際に用いられる測光領域の例を示す図。
【図３】上記実施形態１において、電子ビューファインダに表示を行う際に用いられる測光領域の例を示す図。
【図４】上記実施形態１において、電子表示部に表示を行う際に用いられるプログラム線図の例を示す図。
【図５】上記実施形態１において、電子ビューファインダに表示を行う際に用いられるプログラム線図の例を示す図。
【図６】上記実施形態１における撮像装置の処理を示すフローチャート。
【発明を実施するための形態】
【００１５】
以下、図面を参照して本発明の実施の形態を説明する。
［実施形態１］
【００１６】
図１から図６は本発明の実施形態１を示したものであり、図１は撮像装置の構成を示すブロック図である。
【００１７】
この撮像装置は、撮影レンズ１と、レンズ制御部２と、絞り３と、絞り制御部４と、ＮＤフィルタ５と、ＮＤ制御部６と、シャッタ７と、シャッタ制御部８と、撮像素子９と、撮像制御部１０と、画像処理部１１と、制御部１２と、電子ビューファインダ（ＥＶＦ：Electronic Viewfinder）１８と、電子表示部１９と、操作部２０と、音声処理部２１と、マイク２２と、スピーカ２３と、記録部２４と、を備えている。
【００１８】
撮影レンズ１は、被写体の光学像を撮像素子９上に結像するための撮影光学系である。
【００１９】
レンズ制御部２は、制御部１２からの指令に基づき、撮影レンズ１を駆動してフォーカス位置の調整を行い、撮影レンズ１が電動ズームレンズ等である場合にはさらに焦点距離の変更も行う。
【００２０】
絞り３は、撮影レンズ１を通過する光束の通過範囲を制御する光学絞りである。
【００２１】
絞り制御部４は、制御部１２からの指令に基づき、絞り３を駆動して開口径を変化させる。この絞り３の駆動により、被写体の光学像の明るさが変化し、ボケの大きさなども変化する。
【００２２】
ＮＤ（Neutral Density）フィルタ５は、撮影レンズ１を通過する光束の光路上に挿脱可能に構成されていて、光路上に挿入された場合には、カラーバランスをほとんど変更することなく撮像素子９へ到達する光の量を減少させる減光フィルタである。
【００２３】
ＮＤ制御部６は、制御部１２からの指令に基づき、ＮＤフィルタ５を光路上に挿入し、あるいは光路上から退避させる駆動制御を行う。
【００２４】
シャッタ７は、撮影レンズ１からの光束が撮像素子９へ到達する時間（露光時間、あるいはシャッタ速度ともいう）を制御するものであり、例えばシャッタ幕を走行させる構成のメカニカルシャッタとなっている。ただし、メカニカルシャッタに代えて素子シャッタを用いても構わないし、メカニカルシャッタと素子シャッタとを併用しても良い。
【００２５】
シャッタ制御部８は、制御部１２からの指令に基づき、シャッタ７を駆動制御するものである。
【００２６】
撮像素子９は、撮影レンズ１および絞り３（必要に応じてさらにＮＤフィルタ５）を介して結像された被写体の光学像を光電変換して画像信号を生成するものである。この撮像素子９は、例えば、垂直方向および水平方向に配列された複数の画素の前面にベイヤー配列のカラーフィルタを配置した単板式の撮像素子として構成されている。ただし、撮像素子９は、単板式の撮像素子に限らないことは勿論であり、例えば基板厚み方向に色成分を分離するような積層式の撮像素子であっても良いし、その他の構成の撮像素子でも構わない。
【００２７】
撮像制御部１０は、制御部１２からの指令に基づき、撮像素子９に露光を行わせて画像を生成させ、生成した画像を出力させる駆動制御を行う。このとき撮像制御部１０は、ＡＥ制御部１３の露出制御に従って撮像素子９に撮影を行わせ画像データを生成させる。
【００２８】
画像処理部１１は、制御部１２からの指令に基づき、撮像素子９から出力された画像に対して、設定されている感度値（ＳＶ値）に基づく信号増幅処理、オプティカルブラック（ＯＢ）減算処理、ホワイトバランス（ＷＢ）処理、同時化処理、色再現処理、階調変換処理、エッジ強調処理、ノイズリダクション処理などの各種の画像処理を行う。
【００２９】
制御部１２は、この撮像装置全体の動作を統括的に制御するものである。この制御部１２は、露出条件を設定して露出制御を行うＡＥ制御部１３を備えている。ここにＡＥ制御部１３は、内部コントローラ１４と、記録用ＡＥ制御部１５と、ＥＶＦ用ＡＥ制御部１６と、重付部１７と、を備えている。
【００３０】
内部コントローラ１４は、記録用ＡＥ制御部１５と、ＥＶＦ用ＡＥ制御部１６と、重付部１７と、を制御するものである。この内部コントローラ１４は、電子表示部１９に画像を表示するときには重付部１７に測光に関する記録用の重み付けを行わせて記録用ＡＥ制御部１５に露出制御を行わせ、電子ビューファインダ１８に画像を表示するときは重付部１７に測光に関するＥＶＦ１８用の重み付けを行わせてＥＶＦ用ＡＥ制御部１６に露出制御を行わせるように制御する。
【００３１】
記録用ＡＥ制御部１５は、記録部２４への記録用の画像データを撮影するための露出条件と同一の、第１の露出条件を設定する。
【００３２】
ＥＶＦ用ＡＥ制御部１６は、記録用の第１の露出条件とは異なる、第２の露出条件を設定する。一般に、光学ファインダの表示は、電子的な画像表示と比較すると、フレームレートが無限大で、被写体の輝度に応じた明るさ調整等がなされていない表示となっている。そこで、この第２の露出条件は、第１の露出条件よりも光学ファインダの表示に近い表示態様の画像が得られる露出条件となっている。具体的に、第２の露出条件は、第１の露出条件と比較すると、後でより詳しく説明するように、主要被写体の位置、撮影方向、ズーム位置等が変化することによる画像の明るさの変化が生じ難く、フレームレートが所定値よりも低下しない露出条件となっている。
【００３３】
重付部１７は、撮像素子９から得られた画像の明るさ（具体的には、画像データの輝度値）に基づいてＢＶ値（被写体輝度値）を算出する際に、画像の領域に応じた重み付けを行うものである。従って、記録用ＡＥ制御部１５は、重付部１７により記録用（記録画像用）に設定された重みと、重みが付された領域の画像の明るさと、に基づいて露出を制御する。一方、ＥＶＦ用ＡＥ制御部１６は、重付部１７によりＥＶＦ１８用に設定された重みと、重みが付された領域の画像の明るさと、に基づいて露出を制御する。
【００３４】
電子ビューファインダ（ＥＶＦ）１８は、接眼レンズ等を介して覗いて画像を観察するための表示部（接眼型表示装置）であり、例えば撮像装置の背面側の上部に観察窓が位置するように配設されている。
【００３５】
電子表示部１９は、覗くことなく離れた位置から画像を観察するための表示部（撮像装置の外装面に配置された外装型表示装置）であり、例えば撮像装置の背面側における電子ビューファインダ１８の下側に配設された背面モニタとなっている。
【００３６】
ここに、電子表示部１９と電子ビューファインダ１８とは、画像処理部１１により表示用に処理された画像データに係る画像を択一的に表示するように構成されていて、つまり一方がオンであれば他方がオフとなっているものとする。
【００３７】
操作部２０は、この撮像装置に対する各種の操作入力を行うためのものであり、撮像装置の電源をオン／オフするための電源ボタン、画像の撮影開始を指示するためのレリーズボタン、記録画像の再生を行うための再生ボタン、撮像装置の設定等を行うためのメニューボタン、動画撮影を行うための動画ボタン、項目の選択操作に用いられる十字キーや選択項目の確定操作に用いられるＯＫボタン等の操作ボタンなどを含んでいる。なお、電子表示部１９と電子ビューファインダ１８との何れに画像を表示するかは、例えば、メニューボタンや十字キーやＯＫボタン等を操作することにより選択可能となっている（もちろん、専用のボタン等を設けるようにしても構わない）。そして、この操作部２０に対して操作が行われると、操作内容に応じた信号が制御部１２へ出力される。
【００３８】
音声処理部２１は、マイク２２により生成されたアナログ音声信号を波形成形してデジタル信号に変換し必要に応じて圧縮処理すると共に、再生しようとする音声データを必要に応じて伸張処理してアナログ音声信号に変換しスピーカ２３へ出力するものである。
【００３９】
マイク２２は、入力された音声をアナログの電気信号（音声信号）に変換するものである。このマイク２２を介して動画を録画する際の音声データが取得される。
【００４０】
スピーカ２３は、音声処理部２１から供給されるアナログの電気信号（音声信号）に基づき音声を発音するものである。このスピーカ２３を介して動画再生時に音声が再生され、さらに、撮像装置に関する警告音声等も必要に応じて発音される。
【００４１】
記録部２４は、画像処理部１１により記録用に処理された画像データ、あるいは音声データやその他のデータ等を記録するものであり、例えば撮像装置に着脱可能なメモリカード等により構成されている。従って、記録部２４は、撮像装置に固有の構成でなくても構わない。
【００４２】
次に、図２〜図５を参照しながら、図６に沿って撮像装置の処理を説明する。ここに図６は撮像装置の処理を示すフローチャートである。
【００４３】
撮像装置の電源ボタンがオンされるとこの処理が開始され、まず、パワーオフすべきか否かを判定する（ステップＳ１）。このパワーオフは、例えば電源ボタンがオフされた場合、あるいは省電力設定における自動パワーオフが設定されていて、何も操作がなされない時間が予め定められた時間に到達した場合、などに行われる。
【００４４】
ここでパワーオフでない場合には、表示が背面モニタ等でなる電子表示部１９により行われているか否かを判定する（ステップＳ２）。
【００４５】
ここで電子表示部１９により表示が行われている場合には、内部コントローラ１４は、重付部１７に例えば図２に示すような測光領域に対する重み付けを設定させて、設定された重み付けと取得された画像の輝度値とに基づき、記録用ＡＥ制御部１５に、記録向けの（ひいては電子表示部１９向けの）ＢＶ値を算出させる（ステップＳ３）。
【００４６】
ここに、図２は、電子表示部１９に表示を行う際に用いられる測光領域の例を示す図である。
【００４７】
図２に示すような記録向けの（電子表示部１９向けの）測光領域には、例えば、画像における中央領域ＡＣが最も重く、中央領域ＡＣの周辺の中央近傍領域ＡＭが中程度、中央近傍領域ＡＭの周辺の周辺領域ＡＰが最も低くなるような重み付けがなされている。
【００４８】
そして、記録用ＡＥ制御部１５は、第１の露出条件として、撮像素子９から得られた画像データの輝度値にこの図２に示すような重み付け（つまり、画像の中央部を含む第１の領域（例えば中央領域ＡＣ）の重みをそれ以外の領域より大きくするような重み付け）を行うことにより、ＢＶ値を算出するようになっている。従って、算出されるＢＶ値は、中央領域ＡＣにどのような輝度の被写体が位置しているかの影響を比較的大きく受ける。つまり、主要被写体の位置が変化したり、撮影方向が変化したり、ズーム等により撮影範囲が変化したりすると、算出されるＢＶ値は変化する。
【００４９】
なお、ここでは図２に示すような中央重点測光を一例として挙げたが、これに限らず、例えば、画像から主要被写体を検出して、検出した主要被写体を中心として重み付けを重くする適用的な測光領域を用いるようにすること等も考えられる。
【００５０】
一方、ステップＳ２において、電子表示部１９により表示が行われておらず、つまり電子ビューファインダ（ＥＦＶ）１８により表示が行われている場合には、内部コントローラ１４は、重付部１７に例えば図３に示すような測光領域に対する重み付けを設定させて、設定された重み付けと取得された画像の輝度値とに基づき、ＥＶＦ用ＡＥ制御部１６に、ＥＶＦ１８向けのＢＶ値（被写体輝度値）を算出させる（ステップＳ６）。
【００５１】
ここに、図３は、電子ビューファインダ１８に表示を行う際に用いられる測光領域の例を示す図である。
【００５２】
図３に示すような電子ビューファインダ１８向けの測光領域には、例えば、画像の全領域ＡＡの重みを均一にする重み付けがなされている。
【００５３】
そして、ＥＶＦ用ＡＥ制御部１６は、第２の露出条件として、撮像素子９から得られた画像データの輝度値を、この図３に示すように、画素位置によらず均等に扱うことにより、ＢＶ値を算出するようになっている。
【００５４】
なお、ここでは図３に示すような全画素の重みが均一となる平均測光を一例として挙げたが、このような例に限るものではなく、主要被写体の位置、撮影方向、ズーム位置等が変化することによる影響を受け難い測光方式であれば、適宜のものを用いることが可能である。例えば、算出されるＢＶ値への影響が、図２に示した中央重点測光よりも小さいという観点で例を挙げれば、例えば中央領域ＡＣの大きさが図２に示した場合よりも大きいエリアとなるような中央重点測光（つまり、画像の中央部を含む第１の領域よりも広い第２の領域の重みをそれ以外の領域より大きくする）であっても構わないことになる（ただし、算出されるＢＶ値への影響がより一層小さい方が好ましいことは勿論である）。
【００５５】
また、ステップＳ３の処理が終了した場合には、内部コントローラ１４は、例えば図４に示すような記録向けの（ひいては、背面モニタ等でなる電子表示部１９向けの）プログラム線図を選択する（ステップＳ４）。ここに図４は、電子表示部１９に表示を行う際に用いられるプログラム線図の例を示す図である。
【００５６】
一方、ステップＳ６の処理が終了した場合には、内部コントローラ１４は、例えば図５に示すようなＥＶＦ１８向けのプログラム線図を選択する（ステップＳ７）。ここに図５は、電子ビューファインダ１８に表示を行う際に用いられるプログラム線図の例を示す図である。
【００５７】
この図５に示すプログラム線図は、ＴＶ値（シャッタ速度値）が、画像の表示フレームレート（太点線参照）の逆数以上の高速になるようなプログラム線図となっている。すなわち、画像の表示フレームレートを例えば６０（ｆｐｓ）とすると、この表示フレームレートに対応する時間は１／６０（秒）であり、さらにこの時間に対応するＴＶ値は約６（より正確には約５．９）である。そこで、図５に示すプログラム線図においては、６未満のＴＶ値をとらないグラフが用いられている。
【００５８】
次に、ステップＳ４の処理により図４に示すようなプログラム線図が選択された場合には、内部コントローラ１４は、選択されたプログラム線図とステップＳ３において算出したＢＶ値とに基づいて、記録用ＡＥ制御部１５にその他の露出条件、つまり、ＳＶ値（感度値）、ＴＶ値（シャッタ速度値）、およびＡＶ値（絞り値）を導出させ、導出された露出条件に基づく設定を、絞り制御部４、ＮＤ制御部６、シャッタ制御部８、撮像制御部１０、および画像処理部１１等に対して行わせて露出制御する（ステップＳ５）。
【００５９】
すなわち、記録用ＡＥ制御部１５は、ステップＳ３において記録向けに算出したＢＶ値を用いて、図４のＢＶ−ＳＶグラフを参照することにより、ＢＶ値に対応するＳＶ値を取得する。さらに、記録用ＡＥ制御部１５は、ＢＶ値およびＳＶ値から定まるＥＶ値（図４に示すプログラム線図においてＥＶ値が一定となるラインは、左上から右下へ向かう斜め４５°のラインである）のＴＶ値およびＡＶ値を、図４のＴＶ−ＡＶグラフを参照することにより取得する。
【００６０】
具体例として、ステップＳ３においてＢＶ値＝５が取得されたものとする。すると、ＢＶ−ＳＶグラフを参照すれば、ＳＶ値＝６が取得される。さらに、（ＢＶ，ＳＶ）＝（５，６）となる点を右下斜め４５°の方向に辿ってＴＶ−ＡＶグラフと交差する点を求めることにより、（ＴＶ，ＡＶ）＝（８，３）が取得される。
【００６１】
こうして取得された各値に基づいて、記録用ＡＥ制御部１５は露出制御を行う。
【００６２】
一方、ステップＳ７の処理により図５に示すようなプログラム線図が選択された場合に、内部コントローラ１４は、選択されたプログラム線図とステップＳ６において算出したＢＶ値とに基づいて、ＥＶＦ用ＡＥ制御部１６にＳＶ値、ＴＶ値、およびＡＶ値を導出させ、導出された露出条件に基づく設定を、絞り制御部４、ＮＤ制御部６、シャッタ制御部８、撮像制御部１０、および画像処理部１１等に対して行わせて露出制御する（ステップＳ８）。このときの手順は、上述したステップＳ５と同様である。
【００６３】
こうして、ＡＥ制御部１３は、プログラム線図から導出される露出条件に基づいて露出を制御するものであって、電子ビューファインダ１８に画像を表示するときは、シャッタ速度が画像の表示フレームレートの逆数以上の高速になるようなプログラム線図に基づいて露出を制御するものとなっている。
【００６４】
ステップＳ５またはステップＳ８の処理が終了したら、設定された露出条件に基づくライブビュー撮影を行う（ステップＳ９）。
【００６５】
その後、操作部２０のレリーズボタンが操作されたか否かを判定して（ステップＳ１０）、操作された場合には画像の撮影を行う（ステップＳ１１）。
【００６６】
このステップＳ１１の撮影が終了するか、またはステップＳ１０においてレリーズボタンが操作されていないと判定された場合には、上述したステップＳ１へ戻ってパワーオフすべきか否かを判定し、ここでパワーオフすべきであると判定した場合にはこの処理を終了する。
【００６７】
このような実施形態１によれば、電子表示部１９と電子ビューファインダ１８とを備える撮像装置において、電子表示部１９に画像を表示するときは記録用の画像データを撮影するための露出条件と同一の第１の露出条件を設定し、電子ビューファインダ１８に画像を表示するときは第１の露出条件とは異なる第２の露出条件を設定するようにしたために、複数の表示部の内の何れを用いるかに応じて、違和感を感じることが少ない画像を観察することが可能となる。
【００６８】
このとき、第２の露出条件が、第１の露出条件よりも光学ファインダの表示に近い表示態様の画像が得られる露出条件となるようにしたために、電子ビューファインダ１８によって観察する画像の明るさを、光学ファインダによって観察する画像の明るさに近付けて、違和感を小さくすることができる。
【００６９】
さらに、電子ビューファインダ１８に画像を表示するときは、シャッタ速度が画像の表示フレームレートの逆数以上の高速になるようにしたために、画像の取得レートが表示フレームレート未満となった場合のような画像の動きのぎこちなさが生じることはなく、違和感のない滑らかに動く画像を観察することが可能となる。
【００７０】
そして、第１の露出条件として画像の中央部を含む第１の領域の重みをそれ以外の領域より大きくし、第２の露出条件として画像の中央部を含む第１の領域よりも広い第２の領域の重みをそれ以外の領域より大きくするかまたは画像の全領域の重みを均一にするようにしたために、電子ビューファインダ１８を介して観察する際にＡＥ制御が安定化し、主要被写体の位置、撮影方向、ズーム位置等が変化しても、電子ビューファインダ１８を介して観察する画像の明るさが変化し難くなり、違和感を軽減した人間の視覚に近いＡＥ制御を行うことができる。
【００７１】
なお、上述では主として撮像装置について説明したが、撮像装置と同様の動作を行う撮像方法であっても良いし、コンピュータに撮像装置と同様の動作を行わせるためのプログラム、該プログラムを記録するコンピュータにより読み取り可能な一時的でない記録媒体、等であっても構わない。
【００７２】
また、本発明は上述した実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明の態様を形成することができる。例えば、実施形態に示される全構成要素から幾つかの構成要素を削除しても良い。さらに、異なる実施形態にわたる構成要素を適宜組み合わせても良い。このように、発明の主旨を逸脱しない範囲内において種々の変形や応用が可能であることは勿論である。
【符号の説明】
【００７３】
１…撮影レンズ
２…レンズ制御部
３…絞り
４…絞り制御部
５…ＮＤフィルタ
６…ＮＤ制御部
７…シャッタ
８…シャッタ制御部
９…撮像素子
１０…撮像制御部
１１…画像処理部
１２…制御部
１３…ＡＥ制御部
１４…内部コントローラ
１５…記録用ＡＥ制御部
１６…ＥＶＦ用ＡＥ制御部
１７…重付部
１８…電子ビューファインダ（ＥＶＦ）
１９…電子表示部
２０…操作部
２１…音声処理部
２２…マイク
２３…スピーカ
２４…記録部
【図１】
2015154414.tif 000003
【図２】
2015154414.tif 000004
【図３】
2015154414.tif 000005
【図４】
2015154414.tif 000006
【図５】
2015154414.tif 000007
【図６】
2015154414.tif 000008